(57)【要約】【課題】  一人暮らしの若者に対応出来、近親者にも無駄な連絡が無く、「監視されている」というイメージがない安否確認システムを提供する。【解決手段】  安否確認対象者の居住空間に設置された生活感知センサーにより安否確認対象者の生活情報を収集する生活情報収集装置と、この装置から生活情報を受信して記録し、所定期間以上にわたって生活情報の受信が途絶えた場合に近親者等に安否確認が必要なことを通知するシステムであって、生活情報収集装置が、安否確認不要期間の情報を安否確認対象者から受付け、記憶し、この安否確認不要期間内に生活感知センサーからの生活情報が受信されなかった場合に前記安否確認装置に安否確認依頼を送信する手段を備え、前記安否確認装置が、前記安否確認依頼を受信したならば、安否確認対象者の携帯電話端末を呼び出し、無応答または異常ありの情報を受信した場合に近親者等に安否確認が必要なことを通知する手段を備える。【選択図】      図１
2010186397.tif 000002
【特許請求の範囲】
【請求項１】
安否確認対象者の居住空間に設置された生活感知センサーにより前記安否確認対象者の生活情報を収集する生活情報収集装置と、この生活情報収集装置から生活情報を受信して記録し、所定期間以上にわたって生活情報の受信が途絶えた場合に近親者等に安否確認が必要なことを通知する安否確認装置とから構成された安否確認システムであって、
前記生活情報収集装置が、安否確認不要期間の情報を安否確認対象者から受付け、記憶し、この安否確認不要期間内に生活感知センサーからの生活情報が受信されなかった場合に前記安否確認装置に安否確認依頼を送信する手段を備え、
前記安否確認装置が、前記安否確認依頼を受信したならば、安否確認対象者の携帯電話端末を呼び出し、無応答または異常ありの情報を受信した場合に近親者等に安否確認が必要なことを通知する手段を備える
ことを特徴とする安否確認システム。
【発明の詳細な説明】
【技術分野】
【０００１】
本発明は、生活感知センサーならびに携帯電話端末を用い、一人暮らしの人等に対する適切な安否確認を行う安否確認システムに関するものである。
【背景技術】
【０００２】
核家族化、高齢化に伴い、一人暮らしのお年寄りが増加している。お年寄りの中には体に不安がある方もおり、「急な病などで体が動かなくなった場合に助けも呼べず、日々の生活に不安を感じる」と思っている方も多い。
このようなお年寄りの不安を解消するため、自宅のドア等の生活行為が反映される部位に、さまざまな生活感知センサーを設置して生活情報を管理者サーバに送り、一定時間生活情報の連絡が途絶えた場合に近親者等に連絡する安否確認システムが発明されている。
例えば、特許文献１には、住宅の入口ドア付近にドアの開閉を検知するセンサーを設置し、ドアの開閉が行われるたびに、ドアの開閉が行われたことを管理者サーバに送るという技術が開示されている。
【０００３】
管理者サーバは、例えば、所定期間以上にわたってドアの開閉が行われない場合、何か異常が発生したと判断し、管理者サーバの操作者に通知し、管理者サーバの操作者は近親者への通知等を行うことができる。
同様に、ガス、水道といったいわゆるライフラインが所定期間以上にわたって使用されないことをもって異常が発生したと判断する技術も広く知られている。
このように、ドアの開閉、ライフラインの使用といったさまざまな生活情報を、ドアの開閉センサー、水道の使用状況監視装置といったさまざまな生活感知センサーによって収集し、生活情報に基づいて異常の発生、すなわち安否判断を行う安否確認システムに関する技術は広く知られている。
【先行技術文献】
【特許文献】
【０００４】
【特許文献１】特開２００７−１７９３７８号公報
【発明の概要】
【発明が解決しようとする課題】
【０００５】
現状の安否確認システムは一人暮らしのお年寄り、すなわち日常的に住宅内での行動が多い人を安否確認の対象者として想定しているものが殆どである。
一方、お年寄りだけでなく、例えば一人暮しの若者も体が動かなくなった場合の不安はあるが、若者の生活スタイルは不規則であり、しばらく家に戻らないケース等もあるので長時間生活感知センサーから連絡が無かったからといってすぐに「安否に問題が生じている」とは判断出来ない。
例えば仕事の都合で会社に泊まることになる事態も想定されるが、従来の方法では、家に帰れないと安否に問題があったと判定され、近親者に無駄な安否確認連絡が送られるという問題が生じる。また、高齢者社会が進展するにつれ、元気なお年寄りも労働力として社会復帰し、若者同様の活動を行うことも想定される。
このような住宅外で活動することが多い人について、住宅内の生活情報によって安否を確認すると、問題もないのに近親者に通知されるといった誤報が多発することになる。
また、生活感知センサーの情報を管理者サーバに送ることについても、基本的には安否に心配がないであろう人の生活情報を常に管理者サーバに送るのは無駄であるし（住宅外で活動する人が多い人が住宅内で孤独死等する可能性は低い）、常に生活情報を管理者サーバに送ると「監視されている」というイメージを生じさせる。そして、例え生活情報を暗号化して管理者サーバに送信するとしても、この「監視されている」というイメージを払拭させることはできない。
【０００６】
本発明の目的は、生活情報をできるだけ管理者サーバに送信しないようにする安否確認システムを提供することにある。
【課題を解決するための手段】
【０００７】
上記課題を解決するために本発明は、安否確認対象者の居住空間に設置された生活感知センサーにより前記安否確認対象者の生活情報を収集する生活情報収集装置と、この生活情報収集装置から生活情報を受信して記録し、所定期間以上にわたって生活情報の受信が途絶えた場合に近親者等に安否確認が必要なことを通知する安否確認装置とから構成された安否確認システムであって、
前記生活情報収集装置が、安否確認不要期間の情報を安否確認対象者から受付け、記憶し、この安否確認不要期間内に生活感知センサーからの生活情報が受信されなかった場合に前記安否確認装置に安否確認依頼を送信する手段を備え、
前記安否確認装置が、前記安否確認依頼を受信したならば、安否確認対象者の携帯電話端末を呼び出し、無応答または異常ありの情報を受信した場合に近親者等に安否確認が必要なことを通知する手段を備えることを特徴とする。
【発明の効果】
【０００８】
本発明によれば、まず、「設定した期間内に生活感知センサーから生活情報が１度も発信されなかった場合」以外は安否確認装置に情報を送らないようにして「監視されている」とのイメージを払拭することができる。更に、近親者に安否確認連絡をするケースであっても、事前に本人確認を行うことで近親者への無駄な連絡をなくすことができる。
【図面の簡単な説明】
【０００９】
【図１】本発明の一実施の形態例を示す安否確認システムのシステム構成図である。
【図２】安否確認不要期間設定ファイルのデータ構成図である。
【図３】履歴ファイルのデータ構成図である。
【図４】対象者ファイルのデータ構成図である。
【図５】通信データファイルのデータ構成図である。
【図６】安否確認システムの動作全体の概要を示すフローチャートである。
【図７】安否確認不要期間設定手段の動作を示すフローチャートである。
【図８】履歴記録手段の動作を示すフローチャートである。
【図９】安否確認依頼手段の動作を示すフローチャートである。
【図１０】安否確認手段の動作を示すフローチャートである。
【図１１】生活情報送信手段の動作を示すフローチャートである。
【図１２】安否確認応答手段の動作を示すフローチャートである。
【図１３】安否確認不要期間設定用画面の一例である。
【発明を実施するための形態】
【００１０】
以下、本発明を実施する場合の一実施形態を、図面を用いて詳細に説明する。
図１は、本発明の一実施の形態を示す安否確認システムのシステム構成図である。
ここで示している安否確認システムは、安否確認を行う対象者（以下「対象者」という。）の生活拠点等に設置される生活情報収集装置１と、安否確認を行う事業者の事業所等に設置される安否確認装置３を、通信回線網９により相互に通信可能に接続したシステムである。例えば、対象者のアパートの管理人室に生活情報収集装置１を設置し、管理会社に安否確認装置３を設置する。
なお、図１では生活情報収集装置１は１台のみ記載しているが、通常は対象者の生活拠点等の数に応じて２台以上存在する。また、安否確認装置３も負荷分散等を図るために２台以上設置してもよい。
安否確認システムには、対象者携帯電話端末５および近親者携帯電話端末６も、通信回線網９により相互に通信可能に接続される。なお、本実施形態における「近親者」とは、血縁関係にある者等を意しているのではなく、対象者の安否が不明な場合に連絡すべき相手を意味しているに過ぎない。
なお、生活情報収集装置１、安否確認装置３、対象者携帯電話端末５および近親者携帯電話端末６は、無線、有線等、それぞれ各装置に適した方式で通信回線網９に接続すればよい。
【００１１】
生活情報収集装置１は、例えばＰＣ（Personal Computer）本体であり、生活情報感知センサー１６、電話インタフェース１７、入力装置１８、表示装置１９および記憶装置２と通信可能に接続され、安否確認不要期間設定手段１１、履歴記録手段１２および安否確認依頼手段１３を備えている。
生活情報感知センサー１６は、例えばドアの開閉センサー、水道の使用状況監視装置といった、対象者の住居内等の身近に設置されたさまざまな装置からなり、ドアの開閉された時刻、水道が使用された時刻等を生活情報収集装置１に送信する。
【００１２】
電話インタフェース１７は、例えば電話機としての受信機能を備えた機器である。携帯電話等が予め定めた所定の電話番号を呼び出すと、電話インタフェース１７が呼び出しを受信し、携帯電話等から受信した時刻等を生活情報収集装置１に送信する。
入力装置１８はキーボード、マウス等の装置であり、対象者は入力装置１８を操作することで、生活情報収集装置１が実行するべき処理を指示することができる。すなわち入力装置１８は生活情報収集装置１の入力手段として機能する。
表示装置１９は液晶ディスプレイ、プリンタ等の装置であり、生活情報収集装置１が実行した処理の結果等を表示あるいは印刷出力する。すなわち表示装置１９は生活情報収集装置１の表示手段および出力手段として機能する。
【００１３】
記憶装置２は磁気ディスク等の装置であり、生活情報収集装置１に内蔵され又は外部接続される。記憶装置２と、図示していないが生活情報収集装置１の主記憶装置等は、生活情報収集装置１の記憶手段として機能する。
記憶装置２には、安否確認不要期間設定ファイル２１および履歴ファイル２２が記憶されている。安否確認不要期間設定ファイル２１には、対象者が設定した安否確認が不要である期間が記憶されている。例えば、「２４時間」が設定されている場合、たとえ生活情報が感知されない場合であっても、２４時間の期間が経過するまでは安否確認は行わない。このようにすることで、例えば帰宅が二日後になる場合に不要な安否確認が行われないようにすることができる。
履歴ファイル２２には、生活情報感知センサー１６、電話インタフェース１７等から送信された時刻、すなわち生活情報を感知した時刻等が記憶される。
【００１４】
生活情報収集装置１は、図示していないがＣＰＵ（Central Processing Unit）、主記憶装置等を備えており、ＣＰＵは、図示していないが、記憶装置２に記憶されている安否確認不要期間設定プログラム等のコンピュータプログラム（ファームウェア等を含め、以下単に「プログラム」という。）を主記憶装置上にローディングし、その命令コードを実行することで各種の処理を実行する。以上のようなプログラム実行にかかわる技術は周知であるので、以降の説明および図面においては、プログラム実行に係る説明が煩雑になるのを避けるため、安否確認不要期間設定プログラム、履歴記録プログラム、安否確認依頼プログラムをそれぞれ安否確認不要期間設定手段１１、履歴記録手段１２、安否確認依頼手段１３というように、各種プログラムについてあたかもハードウェアが存在するかのように記載し、各手段が処理を実行するかのように記載する。なお、後述する、安否確認手段３１、生活情報送信手段５１および安否確認応答手段５２についても同様である。
【００１５】
安否確認不要期間設定手段１１は、対象者が入力装置１８を使用して入力した安否確認不要期間を、安否確認不要期間設定ファイル２１に記憶する。
履歴記録手段１２は、生活情報感知センサー１６、電話インタフェース１７等から受信した時刻等を履歴ファイル２２に記憶する。
安否確認依頼手段１３は、安否確認不要期間を経過した後も対象者の生活情報が感知されない場合に、安否確認装置３に安否確認依頼を送信する。
安否確認装置３は、例えばＰＣ本体であり、記憶装置４と通信可能時に接続され、安否確認手段３１を備えている。
【００１６】
記憶装置４は磁気ディスク等の装置であり、安否確認装置３に内蔵され又は外部接続される。記憶装置４と、図示していないが安否確認装置３の主記憶装置等は、安否確認装置３の記憶手段として機能する。
記憶装置４には、対象者ファイル４１および通信データファイル４２が記憶されている。対象者ファイル４１には、安否確認装置３が安否確認を行う対象者を一意に識別するためのＩＤ（Identifier）、対象者の携帯電話番号等が記憶されている。通信データファイル４２には、対象者について安否確認を行った時刻等が記憶されている。なお、対象者ファイル４１には本実施形態に示すデータのほかにも対象者の氏名、性別、住所といった対象者個人を特定可能な個人情報が記憶されることが多いため、暗号化を行うなどのセキュリティ対策を施すことが望ましい。
【００１７】
安否確認手段３１は、生活情報収集装置１から安否確認依頼を受信すると、対象者の安否を確認し、安否不明な場合には近親者に通知する。
対象者携帯電話端末５は、生活情報送信手段５１および安否確認応答手段５２を備えた携帯電話機である。なお、本実施形態では携帯電話機としているが、例えば通信機器を備えた小型ＰＣ等、対象者が日常的に持ち運び可能で、通信回線網９に接続可能な機器であれば携帯電話機には限らない。
生活情報送信手段５１は、対象者が対象者携帯電話端末５を操作した場合、操作時刻等を予め設定された対象者の電話番号宛に送信する。そして送信された時刻等は、電話インタフェース１７を介して履歴記録手段１２が受信する。
安否確認応答手段５２は、安否確認手段３１からの呼び出しを受けて、対象者携帯電話端末５の対象者に安否を応答するように要求する。そして対象者からの応答内容等を安否確認手段３１に送信する。
【００１８】
以上のように構成された本システムを使用する場合、対象者は入力装置１８を用いて安否確認不要期間を入力する。例えば、２４という値を設定した場合、生活情報感知センサー１６等からの情報送信が２４時間途絶えた場合に、安否確認手段３１に安否確認要求が送信され、対象者携帯電話端末５による安否確認が実施される。
逆に、２４時間以内に生活情報感知センサー１６等からの情報送信があった場合は、安否確認手段３１との間で送受信は行わない。従って、以上の構成・機能により、生活情報感知センサー１６等から送信された情報は、安否確認が必要にならない限り、対象者の住居等に留められる。また、安否確認手段３１との送受信回数を極力少なくし「監視されている」とのイメージを払拭することができる。
【００１９】
また、生活情報感知センサー１６等からの情報送信が２４時間途絶えていても実は問題が無かったというケースも想定されるため、安否確認手段３１は、一度、対象者携帯電話端末５に確認を行い、応答がない場合、又は「問題がある」旨の回答があった場合に近親者携帯電話端末６へ通知を行う。
これにより、一人暮らしの若者に対応出来き、近親者にも無駄な連絡が無く、「監視されている」というイメージがない安否確認システムを提供することが出来る。
さらに、生活感知センサー１６と対象者携帯電話端末５の両方から生活情報を取得することで、より綿密な情報収集を実現させる。
【００２０】
図２は、安否確認不要期間設定ファイル２１のデータ構成図である。
安否確認不要期間設定ファイル２１には、対象者毎に安否確認不要期間設定レコード２１０が記憶される。なお、安否確認不要期間設定レコード２１０は、後述するように安否確認不要期間設定手段１１が作成する。
安否確認不要期間設定レコード２１０は、対象者ＩＤ２１１と安否確認不要期間２１２から構成される。対象者ＩＤ２１１には、「００００１」等の予め対象者に割り当てられたＩＤが、安否確認不要期間２１２には「２４」（２４時間）等の安否確認を行う必要のない期間が設定されている。
【００２１】
図３は、履歴ファイル２２のデータ構成図である。
履歴ファイル２２には、履歴レコード２２０が記憶される。なお、履歴レコード２２０は、後述するように安否確認不要期間設定手段１１および履歴記録手段１２が作成する。履歴レコード２２０は対象者ＩＤ２２１、記録日時２２２およびチェック日時２２３から構成される。
対象者ＩＤ２２１には、当該レコードがいずれの対象者の履歴であるかを識別可能とするために、「００００１」等の予め対象者に割り当てられたＩＤが設定される。
また、記録日時２２２には、安否確認不要期間設定レコード２１０が作成された日時、生活情報感知センサー１６が送信した日時、又は、対象者携帯電話端末５の生活情報送信手段５１が電話インタフェース１７を介して送信した日時が設定され、チェック日時２２３には、記録日時２２２から当該対象者の安否確認不要期間２１２が経過した日時が設定される。
例えば、対象者ＩＤ２１１に「００００１」が設定されている安否確認不要期間設定レコード２１０の安否確認不要期間２１２に「２４」が設定されている場合、対象者ＩＤ２２１に「００００１」、記録日時２２２に「２００８年８月１日１２時」が設定されている履歴レコード２２０のチェック日時２２３には、２００８年８月１日の１２時から２４時間経過した、２００８年８月２日の１２時が設定される。
【００２２】
図４は、対象者ファイル４１のデータ構成図である。
対象者ファイル４１には、対象者毎に対象者レコード４１０が記憶される。なお、対象者レコード４１０は、例えば安否確認を行う事業者が安否確認契約を締結した対象者について作成する。このようなファイルの作成技術は周知であり、本実施例においては既に対象者について対象者レコード４１０が作成済みであるという前提で説明する。
対象者レコード４１０は、対象者ＩＤ４１１、対象者携帯番号４１２、近親者携帯番号４１３および近親者メールアドレス４１４から構成される。対象者ＩＤ４１１には、「００００１」等の対象者を一意に識別可能なＩＤが設定されている。すなわち、対象者レコード４１０作成時に対象者を一意に識別可能なＩＤを定め、このＩＤが安否確認不要期間設定レコード２１０等においても対象者を識別するためのＩＤとして使用される。
対象者携帯番号４１２には当該対象者の対象者携帯電話端末５の電話番号が、近親者携帯番号４１３には当該対象者の近親者携帯電話端末６の電話番号が、また、近親者メールアドレス４１４には当該対象者の近親者携帯電話端末６にメール送信するためのメールアドレスが設定されている。
【００２３】
図５は、通信データファイル４２のデータ構成図である。
通信データファイル４２には、通信データレコード４２０が記憶される。なお、通信データレコード４２０は、後述するように安否確認手段３１が作成する。通信データレコード４２０は対象者ＩＤ４２１、安否確認日時４２２、結果４２３、安否連絡日時４２４、安否連絡（携帯）４２５および安否連絡（メール）４２６から構成される。
対象者ＩＤ４２１には、当該レコードがいずれの対象者の通信データであるかを識別可能とするために、「００００１」等の予め対象者に割り当てられたＩＤが設定される。
安否確認日時４２２には対象者に安否確認を実施した日時が設定される。
結果４２３は安否確認の結果であり、問題が無い旨の応答があった場合は「問題なし」、問題がある旨の応答があった場合は「問題あり」、応答がなかった場合は「応答なし」が設定される。
安否連絡日時４２４には近親者に安否確認が必要な旨の連絡を行った日時、安否連絡（携帯）４２５と安否連絡（メール）４２６には、それぞれ連絡を行った携帯電話の番号とメールアドレスが設定される。
以上で、本実施形態に係る安否確認システムの構成、機能についての説明を終了し、以下、本実施形態に係る安否確認システムの動作について説明する。
【００２４】
図６は、安否確認システムの動作全体の概要を示すフローチャートである。
生活情報感知センサー１６が生活情報を感知した時、生活情報（具体的には生活情報を感知した日時等である）が生活情報収集装置１に送信され（Ｓ６１１）、生活情報収集装置１の履歴記録手段１２は、受信した生活情報を履歴ファイルに記録する（Ｓ６１３）。
また、対象者携帯電話端末５が使用された時も生活情報（具体的には生活情報を感知した日時である）が生活情報収集装置１に送信され（Ｓ６１２）、生活情報収集装置１の履歴記録手段１２は、受信した生活情報を履歴ファイルに記録する（Ｓ６１３）。
生活情報収集装置１の安否確認依頼手段１３は履歴レコード２２０のチェック日時２２３を定期的にチェックし、期間内に新たな生活情報の送信がない場合、すなわち最新のチェック日時２２３を経過した場合は（Ｓ６１４）、安否確認装置３に安否確認依頼を送信する（Ｓ６１５）。
【００２５】
安否確認装置３の安否確認手段３１は安否確認依頼を受信すると、対象者レコード４１０の対象者携帯番号４１２を用いて対象者携帯電話端末５に安否確認を送信する(Ｓ６１６)。具体的には例えば予め設定した「安否が不明ですが無事ですか」等のメッセージを送信すればよい。
【００２６】
対象者携帯電話端末５の安否確認応答手段５２は、安否確認手段３１からの安否確認を受信すると、当該携帯電話の画面に、安否情報として例えば「問題がないならば０」、「問題があるならば１」を入力するように要求するメッセージを表示する。そして、安否確認応答手段５２は、対象者の操作等に従い、「問題なし」、「応答なし」または「問題あり」の回答を安否確認手段３１に送信する（Ｓ６１７）。
安否確認手段３１は、安否確認応答手段５２から「問題なし」の応答があれば通信データレコードの結果４２３に「問題なし」を設定する（Ｓ６１８）。
また、「問題あり」の応答があった場合は「問題あり」、応答が無かった場合は「応答なし」を結果４２３に設定し（Ｓ６１９）、対象者レコード４１０の安否連絡（携帯）４２５、安否確認（メール）４２６を用いて、近親者携帯電話端末６に安否確認が必要である旨のメッセージを送信する（Ｓ６２０）。
なお、近親者携帯電話端末６には予め設定した所定の音声メッセージを送信し、メールには予め設定した所定の文字メッセージを送信すればよい。
【００２７】
次に、各手段毎に動作を説明する。なお、既に説明したように各手段はプログラムによって実現することができる。そして、プログラムは、コンピュータの起動時、所定の時間間隔、マウスクリック等の所定のイベント発生等、さまざまな契機で起動（動作開始）することが周知技術となっている。また、起動したプログラムについて所定の処理が終了したときに動作終了させることも、コンピュータが停止するまで動作させ続けることも周知技術である。以降の説明における、各手段の動作開始、終了契機は一例を示すものに過ぎず、必要に応じてさまざまな実装が可能である。
【００２８】
図７は、安否確認不要期間設定手段１１の動作を示すフローチャートである。
安否確認不要期間設定手段１１は対象者等が入力装置１８等を使用して起動する。安否確認不要期間設定手段１１は起動後、表示装置１９に安否確認不要期間の設定用画面を表示する（Ｓ７０１）。図１３に、設定用画面の一例を示す。
安否確認不要期間設定手段１１は対象者が、対象者ＩＤおよび安否確認不要期間に適切な内容を入力し、実行ボタン等を押下することで期間設定指示が行われるまで待ち続け（Ｓ７０２でＮＯの場合）、期間設定指示が行われると（Ｓ７０２でＹＥＳの場合）、安否確認不要期間設定レコード２１０の対象者ＩＤ２１１および安否確認不要期間２１２に、それぞれ入力された対象者ＩＤおよび安否確認不要期間を設定し、安否確認不要期間設定レコード２１０を作成する（Ｓ７０３）。
次に、安否確認不要期間設定手段１１は、履歴レコード２２０の対象者ＩＤ２２１に入力された対象者ＩＤ、記録日時２２２に現在日時、チェック日時２２２に現在日時から入力された安否確認不要期間だけ経過後の日時をそれぞれ設定し、履歴レコード２２０を作成し（Ｓ７０４）、処理を終了する。
【００２９】
図８は、履歴記録手段１２の動作を示すフローチャートである。
履歴記録手段１２は生活情報収集装置１の起動に伴い起動される。履歴記録手段１２は起動後、生活情報感知センサー１６または電話インタフェース１７から生活情報（本実施形態においては、対象者ＩＤおよび日時である）を受信するまで待ち続ける（Ｓ８０１でＮＯの場合）。
履歴記録手段１２は生活情報を受信すると（Ｓ８０１でＹＥＳの場合）、履歴レコード２２０の対象者ＩＤ２２１および記録日時２２２に、それぞれ受信した対象者ＩＤおよび日時、チェック日時２２２には、受信した日時から当該対象者の安否確認不要期間２１２だけ経過後の日時を設定し、履歴レコード２２０を作成し（Ｓ８０２）、再び生活情報を受信するまで待ち続ける（Ｓ８０１）。
【００３０】
なお、生活情報感知センサー１６、電話インタフェース１７等には、例えば安否確認を行う事業者と安否確認契約を締結した際に割り当てられた対象者ＩＤを設定しておき、生活情報の一部として送信するようにしておけばよい。
また、本実施形態においては生活情報は対象者ＩＤおよび日時であるが、この他に生活情報感知センサー１６や対象者携帯電話端末５が周辺の画像、周辺の音声等を記録、送信し、履歴記録手段１２は画像、音声等も履歴レコード２２０に設定するようにしてもよい。
このようにすることで、安否不明となった対象者の行方を捜索する際に、履歴レコード２２０に記録された画像、音声等を手がかりとして使用することができる。
【００３１】
図９は、安否確認依頼手段１３の動作を示すフローチャートである。
安否確認依頼手段１３は生活情報収集装置１の起動に伴い起動される。安否確認依頼手段１３は起動後、所定時間間隔（例えば１分間隔）で、次の処理を繰り返す（Ｓ９０１〜Ｓ９０２）。
すなわち、安否確認依頼手段１３は対象者ＩＤ２２１の設定内容が同一の履歴レコード２２０について最新のチェック日時２２３を取得する（Ｓ９０１）。例えば図３のように履歴レコード２２０が記録されている場合、対象者ＩＤ２２１に「００００１」が設定されている履歴レコード２２０の最新のチェック日時２２３「2008/08/04 06:00」、および対象者ＩＤ２２１に「００００２」が設定されている履歴レコード２２０の最新のチェック日時２２３「2008/08/04 07:00」を取得する。
そして、安否確認依頼手段１３は取得した各対象者について、各安否確認不要期間を経過したか判定する。具体的には、取得した各対象者について、最新のチェック日時２２３と現在日時を比較し、現在日時が最新のチェック日時２２３以後であれば、各安否確認不要期間を経過したと判定する（Ｓ９０２）。例えば現在日時が２００８年８月４日６時３０分の場合、図３の例では、対象者「００００１」については経過しており、対象者「００００２」については経過していない。安否確認依頼手段１３はいずれの対象者についても安否確認不要期間を経過していない場合（Ｓ９０２でＮＯの場合）、以上の処理を繰り返す（Ｓ９０１〜Ｓ９０２）。
【００３２】
安否確認依頼手段１３はいずれかの対象者について安否確認不要期間を経過している場合（Ｓ９０２でＹＥＳの場合）、安否確認手段３１に安否確認依頼（具体的には安否確認を依頼する対象者ＩＤ等）を送信する（Ｓ９０３）。図３の例では、「００００１」が送信される。
次に、安否確認依頼手段１３は、履歴レコード２２０の対象者ＩＤ２２１に安否確認を依頼した対象者ＩＤ、記録日時２２２に安否確認を依頼した日時、チェック日時２２２には、安否確認を依頼した日時から当該対象者の安否確認不要期間２１２だけ経過後の日時を設定し、履歴レコード２２０を作成し（Ｓ９０４）、再びＳ９０１〜Ｓ９０２の処理を繰り返す。
【００３３】
図１０は、安否確認手段３１の動作を示すフローチャートである。
安否確認手段３１は安否確認装置３の起動に伴い起動される。安否確認手段３１は起動後、所定時間間隔（例えば１分間隔）で、安否確認依頼手段１３からの安否確認依頼を受信するまで待ち続ける（Ｓ１００１でＮＯの場合）。
安否確認手段３１は、安否確認依頼手段１３からの安否確認依頼を受信すると（Ｓ１００１でＹＥＳの場合）、対象者ＩＤ４１１に受信した対象者ＩＤが設定されている対象者レコード４１０を取得し、当該対象者レコード４１０の対象者携帯番号４１２宛に安否確認を送信する（Ｓ１００２）。なお、本実施形態では、後述するように、安否確認を受信した安否確認応答手段５２は、受信したメッセージ等の内容ではなく、送信元の電話番号によって安否確認であると判定する。従って、安否確認の具体的な送信内容は何であってもよいが、例えば予め設定した「安否が不明ですが無事ですか」等のメッセージを送信すればよい。
【００３４】
次に、安否確認手段３１は、安否確認応答手段５２からの安否確認結果を受信するまで所定期間（例えば５分間）だけ待ち続け（Ｓ１００３でＮＯの場合）、安否確認結果を受信するか、所定期間が経過すると（Ｓ１００３でＹＥＳの場合）、安否確認結果を記録する（Ｓ１００４）。
具体的には、通信データレコード４２０の対象者ＩＤ４２１に当該対象者ＩＤ、安否確認日時４２２に安否確認を送信した日時を設定する。また、安否確認応答手段５２から安否確認結果（「問題なし」、「問題あり」または「応答なし」）を受信した場合は、結果４２３に受信した安否確認結果、安否連絡日時４２４に安否確認結果を受信した日時を設定し、所定期間が経過した場合は、結果４２３に「応答なし」、安否連絡日時４２４に所定のデフォルト値を設定して、通信データレコード４２０を作成する。
安否確認手段３１は、結果４２３に「問題なし」を設定した場合（Ｓ１００５でＮＯの場合）、再び安否確認依頼手段１３からの安否確認依頼を受信するまで待ち続ける（Ｓ１００１）。
【００３５】
一方、「問題あり」または「応答なし」を設定した場合（Ｓ１００５でＹＥＳの場合）、当該対象者の対象者レコード４１０を参照し、近親者携帯番号４１３および近親者メールアドレス４１４宛に安否確認が必要である旨のメッセージを送信する。また、Ｓ１００４の処理で作成した通信データレコード４２０の安否連絡日時４２４、安否連絡（携帯）４２５および安否連絡（メール）４２６に、それぞれ安否確認が必要である旨のメッセージを送信した日時、近親者携帯番号４１３および近親者メールアドレス４１４を設定し、通信データレコード４２０を更新する（Ｓ１００６）。  
以上の処理が終わると、安否確認手段３１は、再び安否確認依頼手段１３からの安否確認依頼を受信するまで待ち続ける（Ｓ１００１）。
【００３６】
図１１は、生活情報送信手段５１の動作を示すフローチャートである。
生活情報送信手段５１は、対象者携帯電話端末５が操作されることで、生活感知情報を送信する機能を備えている。この機能は、対象者携帯電話端末５に生活情報送信手段５１をアプリケーションプログラムとして予めインストールしておき、対象者携帯電話端末５におけるＣＰＵがそのアプリケーションプログラムを実行することにより実現される。
生活情報送信手段５１は対象者携帯電話端末５が操作されるたびに起動される。生活情報送信手段５１は、操作内容を元に対象者本人が携帯電話端末５を使用しているかを判定し（Ｓ１１０１）、本人が使用していると判定した場合（Ｓ１１０１でＹＥＳの場合）には、予め定めた所定の電話番号を呼び出し、通信回線網９を介して、生活情報（本実施形態においては対象者ＩＤおよび判定日時である）を電話インタフェース１７に送信する（Ｓ１１０２）。
【００３７】
ここで、対象者携帯電話端末５には、安否確認を行う事業者と安否確認契約を締結した際に割り当てられた対象者ＩＤを設定しておき、生活情報の一部として送信する。
ここで、操作内容を元に対象者本人が携帯電話端末５を使用しているかを判定する方法について説明する。通常は個人所有の携帯電話端末５を他人に貸すことはないので、携帯電話端末５の操作（電源投入、キー入力等）が行われた場合、いずれの操作であっても対象者本人が携帯電話端末５を使用していると判定する。このようにすることで対象者の生活情報をもれなく送信することができる。
【００３８】
しかしながら、例えば対象者が事故にあったり、事件に巻き込まれたりして携帯電話端末５が他人の手に渡る場合がある。このような場合、携帯電話端末５の操作が行われたというだけで生活情報を送信すると、対象者が無事でないにもかかわらず無事であると判定されてしまうことになる。そこで、携帯電話端末５の操作のうち対象者本人しか行わないと思われる操作を行った場合にのみ、対象者本人が携帯電話端末５を使用していると判定する。例えば、アドレス帳を検索してアドレス帳に載っている電話番号に電話をかけた場合、パスワード入力による認証機能つき携帯電話端末において認証を行った場合、指静脈認証機能つき携帯電話端末において認証を行った場合、虹彩認証機能つき携帯電話端末において認証を行った場合、指紋認証機能つき携帯電話端末において認証を行った場合、腕の振り動作に基づく生体認証機能つき携帯電話端末において認証を行った場合、さらにその他生体情報認証で対象者本人であると判定された場合等に、対象者本人が携帯電話端末を使用していると判定する。このようにすることで対象者の生活情報をより確実に送信することができる。
【００３９】
図１２は、安否確認応答手段５２の動作を示すフローチャートである。
安否確認応答手段５２は通話要求を受けるたびに起動され、まず、受信した通話要求が、安否確認装置３の安否確認手段３１から受信したか否か（すなわち安否確認依頼であるか否か）を判定し（Ｓ１２０１）、安否確認依頼でない場合（Ｓ１２０１でＮＯの場合）、処理を終了する。
一方、安否確認依頼の場合（Ｓ１２０１でＹＥＳの場合）、安否確認応答手段５２は対象者携帯電話端末５の画面に、安否情報として例えば「問題がないならば０」、「問題があるならば１」を入れるように要求するメッセージを表示する（Ｓ１２０２）。
そして、安否確認応答手段５２は、所定期間内（例えば３分以内）に対象者が応答を入力した場合（Ｓ１２０３でＹＥＳの場合）、安否確認手段３１に応答内容（「問題なし」または「問題あり」）を送信し（Ｓ１２０４）、所定期間内に対象者が応答を入力しなかった場合（Ｓ１２０３でＮＯの場合）、安否確認手段３１に「応答なし」を送信する（Ｓ１２０５）。
【符号の説明】
【００４０】
１・・・生活情報収集装置、１１・・・安否確認不要期間設定手段、１２・・・履歴記録手段、１３・・・安否確認依頼手段、１６・・・生活情報感知センサー、１７・・・電話インタフェース、１８・・・入力装置、１９・・・表示装置、２・・・記憶装置、２１・・・安否確認不要期間設定ファイル、２２・・・履歴ファイル、３・・・安否確認装置、３１・・・安否確認手段、４・・・記憶装置、４１・・・対象者ファイル、４２・・・通信データファイル、５・・・対象者携帯電話端末、５１・・・生活情報送信手段、５２・・・安否確認応答手段、６・・・近親者携帯電話端末、９・・・通信回線網。
【図１】
2010186397.tif 000003
【図２】
2010186397.tif 000004
【図３】
2010186397.tif 000005
【図４】
2010186397.tif 000006
【図５】
2010186397.tif 000007
【図６】
2010186397.tif 000008
【図７】
2010186397.tif 000009
【図８】
2010186397.tif 000010
【図９】
2010186397.tif 000011
【図１０】
2010186397.tif 000012
【図１１】
2010186397.tif 000013
【図１２】
2010186397.tif 000014
【図１３】
2010186397.tif 000015